(57)【要約】【課題】好適な電気デバイスのためのカバーを提供すること。【解決手段】電気デバイスを覆って据え付けるように構成された電気デバイスカバーであって、該電気デバイスカバーは、リッドリングの周囲の大部分に沿って結合された柔軟なエレメントを備えるリッドであって、該リッドリングはヒンジによってベースに移動可能に結合されている、リッドと、該カバーの表面のエッジにおけるコードポートとを備え、該柔軟なエレメントは、展開した位置を含み、該位置において、該柔軟なエレメントの大部分は、該リッドリングを超えるように構成されることによって、該電気デバイスに結合された電気コネクタを連続的に閉じこめる、電気デバイスカバー。【選択図】図１
2009032452.tif 000002
【特許請求の範囲】
【請求項１】
電気デバイスを覆って据え付けるように構成された電気デバイスカバーであって、該電気デバイスカバーは、
リッドリングの周囲の大部分に沿って結合された柔軟なエレメントを備えるリッドであって、該リッドリングはヒンジによってベースに移動可能に結合されている、リッドと、
該カバーの表面のエッジにおけるコードポートと
を備え、
該柔軟なエレメントは、展開した位置を含み、該位置において、該柔軟なエレメントの大部分は、該リッドリングを超えるように構成されることによって、該電気デバイスに結合された電気コネクタを連続的に閉じこめる、電気デバイスカバー。
【請求項２】
前記リッドリングは、トップエッジをさらに備え、前記柔軟なエレメントは、引き込まれた位置をさらに含み、該柔軟なエレメントの大部分は、該トップエッジと実質的に平行な平面または平面の下の位置へと収縮する、請求項１に記載の電気デバイスカバー。
【請求項３】
前記柔軟なエレメントは、少なくとも一つのひだをさらに備える、請求項１に記載の電気デバイスカバー。
【請求項４】
前記リッドは、硬いエレメントからなる前面をさらに備える、請求項２に記載の電気デバイスカバー。
【請求項５】
前記前面は、前記リッドリング上のラッチング突起に結合するように構成された、該前面のエッジに沿った少なくとも一つのラッチングノッチをさらに備える、請求項４に記載の電気デバイスカバー。
【請求項６】
前記少なくとも一つのひだは、２つのひだの谷に間に位置合わせされたひだのピークをさらに備える、請求項３に記載の電気デバイスカバー。
【請求項７】
前記ひだのピークは、実質的に前記２つのひだの谷の間の中心にある、請求項６に記載の電気デバイスカバー
【請求項８】
前記柔軟なエレメントは、リッド面をさらに備え、前記ひだのピークは、該リッド面に向かって前記２つの谷の間の中心からずらして位置合わせされる、請求項６に記載の電気デバイスカバー。
【請求項９】
前記少なくとも一つのひだは、フランジ形状である、請求項３に記載の電気デバイスカバー。
【請求項１０】
前記リッドは、前記柔軟なエレメントに結合された前面をさらに備え、該前面は、複数のインターロックリングを通して前記リッドリングに結合され、該柔軟なエレメントは、柔軟なシースを備え、該柔軟なシースは、インターロックリングの内面に沿って該前面へと伸長する、請求項１に記載の電気デバイスカバー。
【請求項１１】
前記コードポートは、前記ベースに対して角度をつけられたチャネルを備える、請求項１に記載の電気デバイスカバー。
【請求項１２】
前記引き込まれた位置における前記電気デバイスカバーの奥行きは、前記伸長した位置の奥行きの約８分の１〜約４分の３である、請求項２に記載の電気デバイスカバー。
【請求項１３】
前記リッドは、リッド面を備え、前記柔軟なエレメントは、該柔軟なエレメントの第１の端部において該リッド面に結合され、前記リッドリングは、該柔軟なエレメントの第２の端部に結合される、請求項１に記載の電気デバイスカバー。
【請求項１４】
前記リッド面は、そこから伸長する複数のリテーニング突起を備え、前記柔軟なエレメントの前記第１の端部は、該柔軟なエレメントの該第１の端部の周囲に沿って配置された複数のリッド面据え付け開口部を備え、該柔軟なエレメントの該第１の端部は、該リッド面据え付け開口部の中への該複数のリテーニング突起の挿入を通して該リッド面に結合される、請求項１３に記載の電気デバイスカバー。
【請求項１５】
前記柔軟なエレメントの前記第１の端部は、熱ステーキングによって前記リッド面に結合される、請求項１４に記載の電気デバイスカバー。
【請求項１６】
複数のリテーニング穴を備えるリテーナリングは、前記複数のリテーニング突起が前記リッド面据え付け開口部の中に挿入された後に、該複数のリテーニング突起を覆うように結合される、請求項１４に記載の電気デバイスカバー。
【請求項１７】
前記リテーナリングおよび前記柔軟なエレメントの前記第１の端部は、熱ステーキングまたは音波溶接によって結合される、請求項１６に記載の電気デバイスカバー。
【請求項１８】
前記柔軟なエレメントの前記第２の端部は、該柔軟なエレメントの該第２の端部の周囲の大部分の周囲に伸長するリッドリング据え付けひだをさらに備え、前記リッドリングは、
該リッドリングの周囲の大部分に沿った連続的なリッジであって、該リッドリング据え付けひだは、該連続的なリッジを覆うように挿入される、リッジ、または
該リッドリングの周囲から内側に伸長する複数の据え付けプロングであって、該リッドリング据え付けひだは、該複数の据え付けプロングを覆って挿入される、プロング
をさらに備える、請求項１３に記載の電気デバイスカバー。
【請求項１９】
リテーナリングは、前記リッドリング据え付けひだを覆うように前記リッドリングの周囲の大部分に沿って結合される、請求項１８に記載の電気デバイスカバー。
【請求項２０】
前記リテーナリングは、グルー、接着剤、または熱ステーキングのうちの一つによって結合される、請求項１９に記載の電気デバイスカバー。
【請求項２１】
前記リテーナリングは、前記リッドリングに音波溶接される、請求項１９に記載の電気デバイスカバー。
【請求項２２】
電気デバイスを覆うように据え付けるように構成された電気デバイスカバーであって、該電気デバイスカバーは、
柔軟な膜を備えるリッドであって、該リッドはヒンジによってベースに結合される、リッドと、
該カバーの表面のエッジにおけるコードポートと
を備え、
該リッドは、該柔軟な膜を通して展開した位置へと展開することによって、該電気デバイスに結合された電気コネクタを収容するように構成される、電気デバイスカバー。
【請求項２３】
前記リッドは、該リッドが前記柔軟な膜を通して前記展開した位置から引き込まれた位置へと引き込まれると、奥行きが低減するように構成されている、請求項２２に記載の電気デバイスカバー。
【請求項２４】
前記リッドは、前面をさらに備え、リッドリングおよび前記柔軟な膜は、柔軟なシースを備え、該前面および該リッドリングは、複数のインターロックリングを通して結合され、該柔軟なシースは、該インターロックリングの内部表面に沿って該前面へと伸長する、請求項２２に記載の電気デバイスカバー。
【請求項２５】
電気デバイスカバーであって、
ベースの周囲の大部分に沿って結合した柔軟なエレメントを備えるベースであって、該ベースはベースリング上のヒンジによってリッドに結合される、ベースと、
該カバーの表面のエッジにおけるコードポートと
を備え、
該ベースリングが、該柔軟なエレメントを通して伸長した位置へと伸長するとき、該柔軟なエレメントは、該電気デバイスに結合された電気コネクタを連続的に閉じこめるように構成されている、電気デバイスカバー。
【発明の詳細な説明】
【技術分野】
【０００１】
本書面の局面は、広く電気デバイスのカバーに関する。
【背景技術】
【０００２】
電気デバイスは、外壁のような位置に据え付けられる場合には、水および他の汚染物質にさらされがちである。多くの様々なカバー設計は、天気に関連する汚染物質を遮蔽しようとするが、電気コネクタは、デバイスと結合されたり、されなかったりする。これらのカバー設計は、通常、「使用中（ｗｈｉｌｅ−ｉｎ−ｕｓｅ）」カバーと呼ばれる。典型的な電気デバイスの例は、コンセントと、スイッチと、通信ポートとを含む。典型的な使用中カバー設計は、ヒンジによってリッド（ｌｉｄ）に接続されたベースを含む。
【発明の開示】
【課題を解決するための手段】
【０００３】
本発明の局面は、電気デバイスのための展開および引き込みが可能なカバーに関する。
【０００４】
一局面においては、電気デバイス上に据え付けるように構成されている電気デバイスカバーは、リッドリングの周囲の大部分に沿って結合された柔軟なエレメントを有するリッドを含む。リッドリングは、ヒンジによってベースに移動可能なように結合される。電気デバイスカバーはまた、カバーの表面の１つのエッジにコードポートを含む。柔軟なエレメントは、展開された位置を含み、柔軟なエレメントの大部分は、リッドリングを越えて伸長するように構成されることにより、電気コネクタに結合された電気デバイスを連続的に閉じ込める。リッドリングは、トップエッジをさらに含み得る。柔軟なエレメントはまた、引き込まれた位置を含み得、柔軟なエレメントの大部分は、トップエッジに実質的に平行な平面の位置に、または該平面の下まで収縮される。特定のインプリメンテーションにおいては、柔軟なエレメントは、柔軟な膜であり得る。
【０００５】
別の局面においては、電気デバイス上に据え付けられるように構成された電気デバイスカバーは、柔軟な膜を有するリッドを含む。リッドは、ヒンジによってベースに結合され、カバーはカバーの表面の１つのエッジにコードポートを含む。リッドは、柔軟な膜を介して展開された位置まで展開するように構成されていることにより、電気デバイスに結合された電気コネクタを収容する。リッドはまた、リッドが展開された位置から引き込まれた位置まで柔軟な膜を介して引き込まれた場合に、奥行き（ｄｅｐｔｈ）を減らすように構成されている。
【０００６】
さらに別の局面においては、電気デバイスカバーの特定のインプリメンテーションは、ベースの周囲の大部分に沿って結合された柔軟なエレメントを有するベースを含み得る。ベースは、ベースリング上のヒンジによってリッドに結合され、カバーはカバーの表面の１つのエッジにコードポートを含み得る。カバーは、伸長された位置を含み得、ベースリングは、柔軟なエレメントを介して伸長され、これは、電気デバイスに結合された電気コネクタを連続的に閉じ込めるように構成されている。
【０００７】
上述の局面を有する電気デバイスカバーの特定のインプリメンテーションのために、柔軟なエレメントは、少なくとも一つのひだ（ｐｌｅａｔ）をさらに有し得る。柔軟なエレメントはまた、前面を含み得、その前面は硬いエレメントをさらに含み得る。前面はまた、リッドリング上のラッチング突起と結合するように構成されている、前面の１つのエッジに沿った少なくとも一つのラッチングノッチ（ｌａｔｃｈｉｎｇ  ｎｏｔｃｈ）を有し得る。
【０００８】
特定のインプリメンテーションにおいては、少なくとも一つのひだは、２つのひだの谷の間に位置合わせされた、ひだのリッジをさらに含み得る。一部のインプリメンテーションにおいては、ひだのリッジは、２つのひだの谷の間に実質的に中心を合わせられる。他のインプリメンテーションにおいては、柔軟なエレメントはリッド面を含み得、ひだのリッジは２つのひだの谷の間で、リッド面に向かって中心をずらして位置合わせされ得る。一部のインプリメンテーションはフランジ（ｆｌａｎｇｅ）形状であるひだを含み得る。
【０００９】
電気デバイスカバーの特定のインプリメンテーションにおいては、リッドは、複数のインターロックリングを介してリッドリングに結合された前面をさらに有し得る。柔軟なシースは、リッドリングと結合され得、かつインターロックリングの内面に沿って柔軟なエレメントの前面まで伸長し得る。特定のインプリメンテーションにおいては、コードポートはベースに向かって曲げられたチャネルを含み得る。
【００１０】
さらに別の局面においては、電気デバイスカバーのインプリメンテーションは、リッド面と、柔軟なエレメントの第１の端部においてリッド面に結合された柔軟なエレメントとを含み得る。リッドリングは、柔軟なエレメントの第２の端部に結合され得、ヒンジによってベースに移動可能なように結合され得る。コードポートは、カバーの表面内に含まれ得る。柔軟なエレメントは、展開された位置を含み得、ここで柔軟なエレメントの大部分はリッドリングを越えて伸長するように構成されていることにより、電気デバイスに結合された電気コネクタを連続的に閉じ込める。
【００１１】
電気デバイスカバーのインプリメンテーションは、以下の１つ、一部、または全てを含み得る。
【００１２】
リッド面は、そこから伸長する複数のリテーニング突起を含み得、柔軟なエレメントの第１の端部は、それを介して柔軟なエレメントの第１の端部の周囲に沿って配置された複数のリッド面据え付け開口部を含み得る。柔軟なエレメントの第１の端部は、複数のリテーニング突起のリッド面据え付け開口部への挿入を介して、リッド面に結合され得る。
【００１３】
柔軟なエレメントの第１の端部は、熱ステーキング（ｈｅａｔ  ｓｔａｋｉｎｇ）によって、リッド面に結合され得る。
【００１４】
複数のリテーニングホールを有するリテーナリングは、複数のリテーニング突起がリッド面据え付け開口部に挿入された後に、複数のリテーニング突起上に結合され得る。
【００１５】
リテーナリングおよび柔軟なエレメントの第１の端部は、熱ステーキングまたは音波溶接（ｓｏｎｉｃ  ｗｅｌｄｉｎｇ）によってリッド面に結合され得る。
【００１６】
柔軟なエレメントの第１の端部は、摩擦力、グルー（ｇｌｕｅ）、接着剤、両面テープおよびＶｅｌｃｒｏ（登録商標）のうちの１つによって結合され得る。
【００１７】
柔軟なエレメントの第２の端部は、柔軟なエレメントの第２の端部の周囲の大部分の周りに伸長するリッドリング据え付けひだを有し得る。リッドリングは、リッドリングの周囲の大部分に沿う連続的なリッジをさらに含み得、リッドリング据え付けひだは、連続的なリッジ上に挿入され得る。他の特定のインプリメンテーションにおいては、リッドリングは、リッドリングの周囲から内部に伸長する複数の据え付けプロングを含み得、リッドリング据え付けひだは、複数の据え付けプロング上に挿入され得る。
【００１８】
リッドリング据え付けひだは、複数の据え付けプロングまたは連続的なリッジに、摩擦力、グルー、接着剤、両面テープまたはＶｅｌｃｒｏ（登録商標）のうちの１つを介して保持され得る。
【００１９】
リテーナリングは、リッドリングの周囲の大部分に沿って、リッドリング据え付けひだ上に結合され得る。
【００２０】
リテーナリングは、グルー、接着剤、または熱ステーキングのうちの１つを介して結合され得る。
【００２１】
リテーナリングは、リッドリングに音波溶接され得る。
【００２２】
上述の、および他の局面、特性、および利点は、記載および図面から、ならびに特許請求の範囲から当業者に明らかである。
【００２３】
本発明はさらに、以下の手段を提供する。
【００２４】
（項目１）
電気デバイスを覆って据え付けるように構成された電気デバイスカバーであって、該電気デバイスカバーは、
リッドリングの周囲の大部分に沿って結合された柔軟なエレメントを備えるリッドであって、該リッドリングはヒンジによってベースに移動可能に結合されている、リッドと、
該カバーの表面のエッジにおけるコードポートと
を備え、
該柔軟なエレメントは、展開した位置を含み、該位置において、該柔軟なエレメントの大部分は、該リッドリングを超えるように構成されることによって、該電気デバイスに結合された電気コネクタを連続的に閉じこめる、電気デバイスカバー。
【００２５】
（項目２）
上記リッドリングは、トップエッジをさらに備え、上記柔軟なエレメントは、引き込まれた位置をさらに含み、該柔軟なエレメントの大部分は、該トップエッジと実質的に平行な平面または平面の下の位置へと収縮する、項目１に記載の電気デバイスカバー。
【００２６】
（項目３）
上記柔軟なエレメントは、少なくとも一つのひだをさらに備える、項目１に記載の電気デバイスカバー。
【００２７】
（項目４）
上記リッドは、硬いエレメントからなる前面をさらに備える、項目２に記載の電気デバイスカバー。
【００２８】
（項目５）
上記前面は、上記リッドリング上のラッチング突起に結合するように構成された、該前面のエッジに沿った少なくとも一つのラッチングノッチをさらに備える、項目４に記載の電気デバイスカバー。
【００２９】
（項目６）
上記少なくとも一つのひだは、２つのひだの谷に間に位置合わせされたひだのピークをさらに備える、項目３に記載の電気デバイスカバー。
【００３０】
（項目７）
上記ひだのピークは、実質的に上記２つのひだの谷の間の中心にある、項目６に記載の電気デバイスカバー
（項目８）
上記柔軟なエレメントは、リッド面をさらに備え、上記ひだのピークは、該リッド面に向かって上記２つの谷の間の中心からずらして位置合わせされる、項目６に記載の電気デバイスカバー。
【００３１】
（項目９）
上記少なくとも一つのひだは、フランジ形状である、項目３に記載の電気デバイスカバー。
【００３２】
（項目１０）
上記リッドは、上記柔軟なエレメントに結合された前面をさらに備え、該前面は、複数のインターロックリングを通して上記リッドリングに結合され、該柔軟なエレメントは、柔軟なシースを備え、該柔軟なシースは、インターロックリングの内面に沿って該前面へと伸長する、項目１に記載の電気デバイスカバー。
【００３３】
（項目１１）
上記コードポートは、上記ベースに対して角度をつけられたチャネルを備える、項目１に記載の電気デバイスカバー。
【００３４】
（項目１２）
上記引き込まれた位置における上記電気デバイスカバーの奥行きは、上記伸長した位置の奥行きの約８分の１〜約４分の３である、項目２に記載の電気デバイスカバー。
【００３５】
（項目１３）
上記リッドは、リッド面を備え、上記柔軟なエレメントは、該柔軟なエレメントの第１の端部において該リッド面に結合され、上記リッドリングは、該柔軟なエレメントの第２の端部に結合される、項目１に記載の電気デバイスカバー。
【００３６】
（項目１４）
上記リッド面は、そこから伸長する複数のリテーニング突起を備え、上記柔軟なエレメントの上記第１の端部は、該柔軟なエレメントの該第１の端部の周囲に沿って配置された複数のリッド面据え付け開口部を備え、該柔軟なエレメントの該第１の端部は、該リッド面据え付け開口部の中への該複数のリテーニング突起の挿入を通して該リッド面に結合される、項目１３に記載の電気デバイスカバー。
【００３７】
（項目１５）
上記柔軟なエレメントの上記第１の端部は、熱ステーキングによって上記リッド面に結合される、項目１４に記載の電気デバイスカバー。
【００３８】
（項目１６）
複数のリテーニング穴を備えるリテーナリングは、上記複数のリテーニング突起が上記リッド面据え付け開口部の中に挿入された後に、該複数のリテーニング突起を覆うように結合される、項目１４に記載の電気デバイスカバー。
【００３９】
（項目１７）
上記リテーナリングおよび上記柔軟なエレメントの上記第１の端部は、熱ステーキングまたは音波溶接によって結合される、項目１６に記載の電気デバイスカバー。
【００４０】
（項目１８）
上記柔軟なエレメントの上記第２の端部は、該柔軟なエレメントの該第２の端部の周囲の大部分の周囲に伸長するリッドリング据え付けひだをさらに備え、上記リッドリングは、
該リッドリングの周囲の大部分に沿った連続的なリッジであって、該リッドリング据え付けひだは、該連続的なリッジを覆うように挿入される、リッジ、または
該リッドリングの周囲から内側に伸長する複数の据え付けプロングであって、該リッドリング据え付けひだは、該複数の据え付けプロングを覆って挿入される、プロング
をさらに備える、項目１３に記載の電気デバイスカバー。
【００４１】
（項目１９）
リテーナリングは、上記リッドリング据え付けひだを覆うように上記リッドリングの周囲の大部分に沿って結合される、項目１８に記載の電気デバイスカバー。
【００４２】
（項目２０）
上記リテーナリングは、グルー、接着剤、または熱ステーキングのうちの一つによって結合される、項目１９に記載の電気デバイスカバー。
【００４３】
（項目２１）
上記リテーナリングは、上記リッドリングに音波溶接される、項目１９に記載の電気デバイスカバー。
【００４４】
（項目２２）
電気デバイスを覆うように据え付けるように構成された電気デバイスカバーであって、該電気デバイスカバーは、
柔軟な膜を備えるリッドであって、該リッドはヒンジによってベースに結合される、リッドと、
該カバーの表面のエッジにおけるコードポートと
を備え、
該リッドは、該柔軟な膜を通して展開した位置へと展開することによって、該電気デバイスに結合された電気コネクタを収容するように構成される、電気デバイスカバー。
【００４５】
（項目２３）
上記リッドは、該リッドが上記柔軟な膜を通して上記展開した位置から引き込まれた位置へと引き込まれると、奥行きが低減するように構成されている、項目２２に記載の電気デバイスカバー。
【００４６】
（項目２４）
上記リッドは、前面をさらに備え、リッドリングおよび上記柔軟な膜は、柔軟なシースを備え、該前面および該リッドリングは、複数のインターロックリングを通して結合され、該柔軟なシースは、該インターロックリングの内部表面に沿って該前面へと伸長する、項目２２に記載の電気デバイスカバー。
【００４７】
（項目２５）
電気デバイスカバーであって、
ベースの周囲の大部分に沿って結合した柔軟なエレメントを備えるベースであって、該ベースはベースリング上のヒンジによってリッドに結合される、ベースと、
該カバーの表面のエッジにおけるコードポートと
を備え、
該ベースリングが、該柔軟なエレメントを通して伸長した位置へと伸長するとき、該柔軟なエレメントは、該電気デバイスに結合された電気コネクタを連続的に閉じこめるように構成されている、電気デバイスカバー。
【００４８】
（摘要）
電気デバイスのためのカバーが開示される。特定のインプリメンテーションは、電気デバイスを覆って据え付けるように構成された電気デバイスカバーを含み、柔軟な膜を有するリッドを含む。リッドは、ヒンジによってベースに結合され、カバーは、カバーの表面の端においてコードポートを含む。リッドは、柔軟な膜を通して伸長することによって、電気デバイスに結合された電気コネクタを収容するように構成されている。リッドはまた、リッドが柔軟な膜を通して伸長した位置から引き込まれた位置へと引き込まれると、奥行きが低減するように構成され得る。
【発明を実施するための最良の形態】
【００４９】
本発明は、以後、添付される図面と関連して記載され、ここで類似の記号は類似のエレメントを示す。
【００５０】
本開示、本開示の局面およびインプリメンテーションは、本明細書において開示される特定のコンポーネントまたは組み立て手順には制限されない。意図される電気デバイスカバーおよび／または電気デバイスカバーの組み立て手順と矛盾しない当該分野で公知の多くの追加のコンポーネントおよび組み立て手順が、本開示から、電気デバイスカバーのインプリメンテーションを用いる使用にとって明白である。従って、例えば、特定のベース、リッドおよびコードポートが開示されるが、このようなベース、リッド、コードポートおよびインプリメントするコンポーメントは、任意の形状、サイズ、スタイル、タイプ、モデル、バージョン、寸法、濃度、材料、量、ならびに／あるいは電気デバイスカバーの意図される動作と矛盾しないこのようなベース、リッドコードポートおよびインプリメントするコンポーネントに対して当該分野で公知の同様のものを備え得る。
【００５１】
図１は、電気デバイスカバー２の特定のインプリメンテーションの断面図を示す。カバー２はリッドリング８を含むリッド４を含み得、柔軟なエレメント６は、リッドリング８の周囲１０に沿ってリッド４と結合される。リッド４は、ヒンジ１２を介してベース１４と結合され得、かつカバー２の表面の１つのエッジにコードポート１６を含み得る。図示されるように、カバー２は、電気デバイス２２上に据え付けられ、電気コネクタ２０は、電気デバイス２２に挿入される。図１に図示されるリッド４の柔軟なエレメント６は、電気コネクタ２０を収容する展開された位置にあり、かつ展開された位置にある場合には、電気コネクタ２０を連続的に閉じ込め得る。
【００５２】
図２は、柔軟なエレメント６が、引き込まれた位置にあり、電気コネクタ２０が電気デバイス２２から取り外された場合の、図１に図示される電気デバイスカバー２の特定のインプリメンテーションを図示する。図２に図示されるインプリメンテーションにおいて、リッドリング８は、トップエッジ２４を含み得る。柔軟なエレメント６が引き込まれた位置にある場合には、柔軟なエレメント６の大部分は、トップエッジ２４に実質的に平行な平面にあり得るか、または該平面の下にあり得る。リッド４の展開および引き込みをする能力は、それぞれ、カバーが使用中および使用中でない場合に、電気デバイスカバー２が、奥行きを増加または減少させることを可能にする。電気デバイスカバー２の能力は、電気デバイスカバー２を、低プロファイルのカバー（制限された厚さのカバー）および使用中のカバーの両方として動作することを可能にする。図１および図２に図示される特定のインプリメンテーションにおいて、低プロファイルの構成の場合には、カバーは、奥行きにおいて約０．８インチから約１．７５インチまでの範囲であり得る。低収縮のカバーとして動作する電気デバイスカバーの他の特定のインプリメンテーションにおいては、カバーが展開された位置にある場合には、カバーは、その元の奥行きの約８分の１〜約４分の３までの位置に引き込むことが可能であり得る。
【００５３】
図３において、電気デバイスカバー１３の特定のインプリメンテーションが、リッド２７が柔軟なエレメント２８と前面２９とを有する場合を図示される。前面２９は、電気コネクタ２０が電気デバイス２２に挿入され、かつリッド２７が閉じている場合に、リッド２７の展開に抵抗するように設計されている硬いエレメント３０を含み得る。図示されるように、硬いエレメント３０は、柔軟なエレメント２８の展開の一部を制限するが、閉じている場合に、リッド２７が電気コネクタ２０を収容することを可能にする。
【００５４】
図４を参照して、電気デバイスカバー３の別の特定のインプリメンテーションが、展開された位置で図示される。この特定のインプリメンテーションにおいて、柔軟なエレメント３２は、少なくとも一つのひだ３４を含むことにより、閉じている場合に、リッド３３の展開を可能にする。図５は、引き込まれた位置における、図４に示される電気デバイスカバー３を図示する。折りたたみ式の（ｃｏｌｌａｐｓｉｂｌｅ）プラスチックの柔軟なエレメントの一例は、現在市場で入手可能で、Ｒｕｂｂｅｒｍａｉｄ．ｃｏｍにおいて記載されるＲｕｂｂｅｒｍａｉｄ（登録商標）Ｃｏｌｌａｐｓｉｂｌｅ（登録商標）食品格納コンテナに見出され得る。多くの他のタイプの構成の中で、類似の構成が、その構造が独自の折りたたまれた位置を維持することを可能にする、ひだの形成を含む、図４を参照して記載されるような柔軟なエレメントを形成するために使用され得る。プラスチック製造の当業者は、この記載およびＲｕｂｂｅｒｍａｉｄ（登録商標）Ｃｏｌｌａｐｓｉｂｌｅ（登録商標）食品格納コンテナの参照から、どのように本明細書の種々の構成において記載されるような柔軟な部材を製造するかを理解する。
【００５５】
図６は、展開された位置における、電気デバイスカバー３９の別の特定のインプリメンテーションを図示する。図示されるように、柔軟なエレメント３６は、硬いエレメントであり得る前面３８と結合され得る。前面３８はまた、リッドリング４１上のラッチング突起４２を係合するように構成されている１つのエッジに沿ってラッチングノッチ４０を含み得る。図７は、引き込まれた位置における電気デバイスカバー３９を図示し、前面３８上のラッチングノッチ４０は、ラッチング突起４２に係合されている。
【００５６】
図８を参照して、リッド５の別の特定のインプリメンテーションの上面図が、区分線Ａを示して図示される。図９は、区分線Ａに沿った、リッド５の特定のインプリメンテーションの断面図を図示する。図８および図９に図示されるように、リッド５は、柔軟なエレメント４３を含み、柔軟なエレメント４３は、２つのピークの谷４６の間のひだのピーク４４によって形成されたひだの構造を含み得る。図９に図示される特定のインプリメンテーションにおいて、ひだのピーク４４は、２つのピークの谷４６の間に中心を合わせられ、リッド面４８が、展開された位置と引き込まれた位置との間で自由に展開および収縮することを可能にする。図１０は、リッド１５の別の特定のインプリメンテーションの類似の区分線に沿って取られた図９の断面図に類似の断面図を図示する。図面は、特定のインプリメンテーションについて図示し、ひだのピーク４４は、ひだの谷４６の間でリッド面４８に向けて中心をずらして位置合わせされ得る。ひだの谷４４のこの方向付けは、リッド１５が、ひだのピーク４４およびひだの谷４６の各々の側に柔軟なエレメント４３における一様でない曲率を誘起することを介して提供される力によって引き込まれた位置のままでいることを可能にし得る。リッド１５を展開された位置まで移動するために、力は、リッド１５をリッド面４８と共に外側に引くことによって克服され得る。
【００５７】
ひだのピーク４４およびひだの谷４６に対する種々の他の設計は、電気デバイスカバーの特定のインプリメンテーションに含まれ得る。例えば、図１１は、柔軟なエレメント４５を図示し、柔軟なエレメント４５は、ひだのピーク４４と、ひだの谷４６とを含み、これらは曲げられるというよりはむしろ平坦にされる。図１２は、電気デバイスカバー７の特定のインプリメンテーションを図示し、これは、リッド面４８にかなり実質的にバイアスされたひだのピーク５０を含み、フランジ形状のひだの構造を形成する。代替的なインプリメンテーションにおいては、ひだの谷は、リッド面に向けて、またはリッド面の外へバイアスされ得る。図示されているインプリメンテーションにおいては、柔軟なエレメントに含まれるひだの構造は、単一のタイプであるが、特定のインプリメンテーションは、任意のタイプまたは複数のタイプの組み合わせのひだの構造を含み得る。
【００５８】
図１４は、電気デバイスカバーに対するリッド９の別の特定のインプリメンテーションを図示する。図１５は、区分線Ｂに沿った、図１４に示されるリッド９の断面を図示する。図１５に図示される柔軟なエレメント５８は、柔軟なシース６０を含み得、柔軟なシース６０は、複数のインターロックリング６４の内面６２に沿って走る。柔軟なシース６０は、接着剤などによって、インターロックリング６４の内面６２の全てまたは一部に結合され得るか、あるいは独立し得る。インターロックリング６４は、リッド面６８をリッドリング６６に結合する。柔軟なシース６０は、リッド９が電気コネクタ上で閉じられている間に、水および他の汚染物質がインターロックリングの隙間（ｉｎｔｅｒｓｔｉｃｅ）を介してリッド９の内部に侵入することを防ぐ。本書面において議論される他のインプリメンテーションと同様に、柔軟なエレメント５８およびインターロックリング６４は、リッド５が、カバーに対して低プロファイルまたは使用中のアプリケーションが所望されるかに依存して、展開された位置および引き込まれた位置の両方に移動することを可能にする。
【００５９】
図１６は、電気デバイスカバー１１の別の特定のインプリメンテーションを図示する。図示されるように、電気デバイスカバー１１は、ベース７０を含み得、ベース７０は、ベース７０の周囲７１の大部分の周りでベース７０と結合された柔軟なエレメント７２を有し得る。ベースリング７４は、柔軟なエレメント７２と結合され得、リッド７６は、ヒンジ７８を介してベースリング７４と移動可能なように結合され得る。リッド７６がベース７０上で閉じられている場合には、柔軟なエレメント７２は、展開された位置まで展開され得ることにより、ベース７０によってカバーされた電気デバイス８０に挿入された電気コネクタを連続的に閉じ込め得る。本書面で開示される他の特定のインプリメンテーションに類似して、カバー１１はまた、ベース７０と結合された柔軟なエレメント７２を介して引き込まれた位置まで移動され得る。
【００６０】
本書面で開示される特定のインプリメンテーションは、電気デバイスカバーの表面の１つのエッジにコードポートを含む。例えば、図１に示される特定のインプリメンテーションは、リッド４の表面にコードポート１６を含む。図１３は、コードポート５４の特定のインプリメンテーションを図示し、コードポート５４は、図６に図示されるインプリメンテーションに類似する電気デバイスカバーのベース５２に向けて曲げられたチャネル５６を含む。図１３に示されるインプリメンテーションはベース５２にチャネル５６を有するが、他の特定のインプリメンテーションは、リッド５３に、またはベース５２およびリッド５３の両方に、チャネルを有し得る。さらに、コードポートの特定のインプリメンテーションは、開口部を含み得、開口部は、水または他の汚染物質のコードポートを介したカバーへの進入を防ぐことを意図されたバリヤによって開かれたり、閉じられたりする。さらに、電気デバイスカバーの特定のインプリメンテーションは、コードポートを含み得、コードポートは、ベース５２の、リッド５３の、またはベース５２およびリッド５３の両方の取り外し可能なタブによって閉じられ得る。ユーザによる取り外し可能なタブの取り外しは、コードポートの開口部を開き、使用のために準備する。電気デバイスカバーの特定のインプリメンテーションはまた、記載される複数のコードポートを含み得る。
【００６１】
電気デバイスカバーの特定のインプリメンテーションは、垂直または水平に据え付けるようにも構成され得る。このことは、開示が参照によって本明細書中に援用されているＳｈｏｔｅｙらに対する米国特許第５，７６３，８３１号に示されて記載されているような、隣接する側におけるベースおよびリッドのヒンジ部材の使用、開示が参照によって本明細書中に援用されているＨａｙｄｕｋｅらに対する米国特許第６，１３３，５３１号に示されて記載されているような、当該技術分野において公知の水平および垂直のカバーの後期のバージョン、またはコーナーヒンジ部材さえも含み得る。現在、電気デバイスカバーの水平および垂直の取り付けを可能にする、当該技術分野において公知の多くの可能なヒンジのバリエーションがあり、それらのすべてはここで適用可能であり得る。
【００６２】
さらに、電気デバイスカバーの特定のインプリメンテーションは、少なくとも一つの取り外し可能なタブを有するベースを含み得、一つの取り外し可能なタブを有し得るアダプタプレートをも含み得る。ベースおよび／またはアダプタプレートにおけるタブの取り外しは、カバーが第１の電気デバイスとともに使用されるように構成されることを可能にし得るか、またはカバーが異なる第２の電気デバイスとともに使用されるように構成されるように変えることを可能にし得る。ベースおよびアダプタプレートにおける取り外し可能なタブを有する電気デバイスカバーの構造および製造に関する関連する教示は、Ｓｈｏｔｅｙらに対する米国特許第６，６４２，４５３号に見出され、その開示は参照によって本明細書中に援用されている。
【００６３】
図１７を参照して、リッド８２の特定のインプリメンテーションが図示され、区分線Ｃを示す。図示されるように、リッド８２は、柔軟なエレメント８６の第１の端部８５に結合されたリッド面８４と、柔軟なエレメント８６の第２の端部８７に結合されたリッドリング８８とを含み得る。柔軟なエレメント８６は、第１の端部８５の周囲に沿って配置されて、柔軟なエレメント８６を通した複数のリッド面据え付け開口部９０を含み得る。リッド８２のインプリメンテーションはまた、柔軟なエレメント８６の第１の端部８５の周囲における複数のリッド面据え付け開口部９０に対応する、複数のリテーニング穴９４を有するリテーニングリング９２を含み得る。リッド面８４上の複数のリテーニング突起９６は、リテーニング穴９４およびリッド面据え付け開口部９０を通して伸長し得る。特定のインプリメンテーションにおいて、リテーニング突起９６の端部を溶かすことによって、リテーニング穴９４およびリッド面据え付け開口部９０を通したリテーニング突起９６の取り外しを防止するために、熱ステーキングプロセスが使用され得る。他の特定のインプリメンテーションにおいて、リテーニング穴９２は使用されないことがあり得、柔軟なエレメント８６の第１の端部８５の周囲におけるリッド面据え付け開口部９０を覆ってリテーニング突起９６を結合するために、熱ステーキングプロセスが使用され得る。他の実施形態においては、リテーニング突起９６またはリッド面据え付け開口部９０が使用されないことがあり得、代わりに（またはリテーニング突起９６に加えて）、柔軟なエレメント８６の第１の端部８５は、摩擦力、グルー、接着剤、両面テープ、またはＶｅｌｃｒｏ（登録商標）を使用することによって、リッド面８４に結合され得る。
【００６４】
図１８および図１９を参照して、リッドリング８８に結合された柔軟なエレメント８６の第２の端部８７の断面図が図示される。柔軟なエレメント８６の第２の端部８７は、第２の端部８７の周囲の大部分のまわりに伸長するリッドリング据え付けひだ９８を含み得る。リッドリング据え付けひだ９８は、リッドリング８８の周囲から内側に伸長する複数の据え付けプロング１０６を覆って挿入され得る（リッドリング１０４の特定のインプリメンテーションにおける据え付けプロング１０６の位置については図１９を参照）。他の特定のインプリメンテーションにおいて、リッドリング据え付けひだ９８は、リッドリング８８の周囲の大部分に沿って伸長する連続的なリッジ１００を覆って挿入され得る（図１７および図１８を参照）。連続的なリッジ１００は、リッドリング８８の周囲全体に沿って伸長し得るか、一部分にのみに沿って伸長し得るか、またはリッドリング８８の周囲に沿ったセクションにおいてのみ伸長し得る。参照されるリッドリング８８の周囲は、リッドリング８８の外側の周囲または内側の周囲のいずれかであり得る。リッド８２の特定のインプリメンテーションにおいて、リッドリング据え付けひだ９８は、たとえば摩擦力、グルー、接着剤、両面テープ、またはＶｅｌｃｒｏ（登録商標）によって連続的なリッジ１００に保持され得るが、それらに限定されない。他の特定のインプリメンテーションにおいて、リッド８２は、さらに、または代替的に、リッドリング８８の周囲の大部分に沿って結合されるリテーナリング１０２を含み得、リッドリング８８は、連続的なリッジ１００（図１７および図１８）または据え付けプロング１０６（図１９）を覆って伸長するリッドリング据え付けひだ９８の部分を実質的に覆うような形状である。リテーナリング１０２は、リッドリング据え付けひだ９８が連続的なリッジ１００または据え付けプロング１０６を覆って結合された後に、リッドリング８８を覆って結合され得る。リテーナリング１０２は、たとえばグルー、接着剤、熱ステーキング、または２つの部分を一緒に結合するために使用される他の一般的な技術によって、リッドリング８８に結合され得るが、それらに限定されない。特定のインプリメンテーションにおいて、リテーナリング１０２は、音波溶接によってリッドリング８８に結合され得、音波溶接は、プラスチック材料からなり得るリテーナリング１０２が、プロセスにおいてゴム材料から形成され得る柔軟なエレメント８６には結合されずに、同じくプラスチック材料からなり得るリッドリング８８に結合されることを可能にする。
【００６５】
電気デバイスカバーの特定のインプリメンテーションにおいて含まれるコンポーネントは、成形された物体に容易に形成され得、電気デバイスカバーの意図された動作と一致する、多くの異なるタイプの材料または組み合わせのいずれかによって形成され得る。たとえば、コンポーネントは、ゴム（合成および／または天然）および／または他の同様の材料；ポリマーおよび／または他の同様の材料；プラスチックおよび／または他の同様の材料；複合材料および／または他の同様の材料；金属および／または他の同様の材料；合金および／または他の同様の材料；および／または上記の任意の組み合わせから形成され得る。
【００６６】
さらに、電気デバイスカバーの特定のインプリメンテーションを形成する、ベース、リッド、柔軟なエレメント、および任意の他のコンポーネントは、別々に製造されてから一緒に組み立てられ得るか、またはコンポーネントのいずれかまたはすべてが同時に製造されて互いに一体に結合され得る。別々または同時にこれらのコンポーネントを製造することは、押出し成形、引抜き成形、真空成形、射出成形、吹込み成形、レジンインジェクション成形、鋳込み成形、鍛造、冷間圧延、ミリング、孔開け、リーミング、旋削、研削、打抜き、切断、曲げ加工、溶接、はんだ付け、硬化、リベット打ち、プレス抜き、めっき、および／または同様のものを含み得る。コンポーネントのいずれかが別々に製造される場合には、それらは、他の考慮のなかでも、コンポーネントを形成する特定の材料に依存して、たとえば接着剤、溶接、ファスナ、それらの任意の組み合わせ、および／または同様のものなどの、任意の態様で互いに結合または取り外し可能に結合され得る。本開示の例示の目的のために、リッド面８４は、ＰＶＣ材料で形成され得、熱ステーキングプロセスによって柔軟なエレメント８６の第１の端８５に結合され得る。柔軟なエレメント８６は、ゴム材料から形成され得、リッドリング８８に結合され得る。リッドリング８８は、リテーナリング１０２のリッドリング８８への音波溶接によってＰＶＣ材料から形成され得るリテーナリング１０２を通して、ＰＶＣ材料から形成され得る。
【００６７】
インプリメンテーションは、本明細書中に開示される特定のコンポーネントに限定されないことが理解される。なぜなら、電気デバイスカバーのための方法および／またはシステムの意図された動作と一致した、実質的にすべてのコンポーネントが利用され得るからである。したがって、たとえば、特定のベース、リッド、およびコードポートが開示され得るが、そのようなコンポーネントは、電気デバイスカバーに対する方法および／またはシステムの意図された動作と一致した、任意の形状、サイズ、スタイル、タイプ、モデル、バージョン、クラス、グレード、大きさ、濃度、材料、重量、数量、および／または同様のものを含み得る。
【００６８】
上述の説明が電気デバイスカバーの特定のインプリメンテーションを指す場合には、その精神から逸脱することなく多数の変更がなされ得、これらのインプリメンテーションが他の電気デバイスカバーに適用され得ることが、直ちに明らかになるべきである。添付の特許請求の範囲は、そのような変更が、本書類に述べられた開示の真の精神および範囲の内にあり得るものとして意図される。したがって、現在開示されるインプリメンテーションは、すべての点において説明的なものであって限定的なものではないと考えられるべきであり、本開示の範囲は、前述の説明ではなく、添付の特許請求の範囲によって示される。特許請求の範囲の同等の意味および範囲に入るすべての変更は、その中に包含されることが意図される。
【図面の簡単な説明】
【００６９】
【図１】図１は、展開された位置における、電気コネクタ上で閉じられた電気デバイスカバーの斜視断面図である。
【図２】図２は、引き込まれた位置における、ベース上で閉じられた電気デバイスカバーの斜視図である。
【図３】図３は、展開された位置における、電気デバイスカバーの断面図である。
【図４】図４は、展開された位置における、ひだを含む電気デバイスカバーの斜視図である。
【図５】図５は、引き込まれた位置における、ひだを含む電気デバイスカバーの斜視図である。
【図６】図６は、展開された位置における、硬い前面を含む電気デバイスカバーの斜視図である。
【図７】図７は、引き込まれた位置における、図６の電気デバイスカバーの斜視図である。
【図８】図８は、区分線Ａを示す電気デバイスカバーのリッドの上面図である。
【図９】図９は、区分線Ａに沿った、電気デバイスカバーに対するリッドの特定のインプリメンテーションの断面図である。
【図１０】図１０は、区分線Ａに沿った、電気デバイスカバーに対するリッドの別の特定のインプリメンテーションの断面図である。
【図１１】図１１は、ひだのピークとひだの谷とを示す、電気デバイスカバーに対するリッドの一部の下面図である。
【図１２】図１２は、フランジ形状のひだを含む電気デバイスカバーの特定のインプリメンテーションの断面図である。
【図１３】図１３は、ベースの方に曲げられたコードポートに対するチャネルを示す電気デバイスカバーの断面図である。
【図１４】図１４は、区分線Ｂを示す電気デバイスカバーのためのリッドの上面図である。
【図１５】図１５は、区分線Ｂに沿った電気デバイスのためのリッドの断面図である。
【図１６】図１６は、リッドが部分的に開いている、ベースリングを有する電気デバイスカバーの斜視図である。
【図１７】図１７は、区分線Ｃを示す、リッドリングが柔軟な部材に結合された電気デバイスカバーの後部斜視図である。
【図１８】図１８は、区分線Ｃに沿った、リッドリングに結合された柔軟な部材の交差の断面図である。
【図１９】図１９は、リッドリングの特定のインプリメンテーションの前部斜視図である。
【符号の説明】
【００７０】
２  電気デバイスカバー
４  リッド
６  柔軟なエレメント
８  リッドリング
１０  リッドリングの周囲
１２  ヒンジ
１４  ベース
１６  コードポート
２０  電気コネクタ
２２  電気デバイス
【図１】
2009032452.tif 000003
【図２】
2009032452.tif 000004
【図３】
2009032452.tif 000005
【図４】
2009032452.tif 000006
【図５】
2009032452.tif 000007
【図６】
2009032452.tif 000008
【図７】
2009032452.tif 000009
【図８】
2009032452.tif 000010
【図９】
2009032452.tif 000011
【図１０】
2009032452.tif 000012
【図１１】
2009032452.tif 000013
【図１２】
2009032452.tif 000014
【図１３】
2009032452.tif 000015
【図１４】
2009032452.tif 000016
【図１５】
2009032452.tif 000017
【図１６】
2009032452.tif 000018
【図１７】
2009032452.tif 000019
【図１８】
2009032452.tif 000020
【図１９】
2009032452.tif 000021